(57)【特許請求の範囲】
【請求項１】
情報記録媒体の回転数が初期値から所定値まで増加するために要する増加時間を検出する検出手段と、
前記増加時間が閾値以上であるか否かを判定する判定手段と、
前記情報記録媒体の種別を示す種別情報を取得する取得手段と、
前記判定手段における判定結果及び前記取得手段により取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識手段と、
前記情報記録媒体の径が前記第２の大きさであって該情報記録媒体に前記アダプタが装着されていると認識された場合、少なくとも前記情報記録媒体の相対的に外周側へのアクセスを制限する制限手段と
を備えることを特徴とする情報記録装置。
【請求項２】
前記認識手段は、前記増加時間が前記閾値以上であると判定された場合に、前記情報記録媒体の径が第１の大きさである、又は前記情報記録媒体の径が前記第２の大きさであって該情報記録媒体に前記アダプタが装着されていると認識することを特徴とする請求項１に記載の情報記録装置。
【請求項３】
前記認識手段は、前記増加時間が前記閾値以上でないと判定された場合に、前記情報記録媒体の径が前記第２の大きさであって該情報記録媒体に前記アダプタ装着されていないと認識することを特徴とする請求項１又は２に記載の情報記録装置。
【請求項４】
前記種別情報は、前記情報記録媒体の径の大きさを示す径情報を含んでおり、
前記認識手段は、前記増加時間が前記閾値以上であり且つ前記取得された種別情報に含まれる前記径情報が前記第１の大きさを示している場合に、前記情報記録媒体の径が前記第１の大きさであると認識することを特徴とする請求項１から３のいずれか一項に記載の情報記録装置。
【請求項５】
前記種別情報は、前記情報記録媒体の径の大きさを示す径情報を含んでおり、
前記認識手段は、前記増加時間が前記閾値以上であり且つ前記取得された種別情報に含まれる前記径情報が前記第２の大きさを示している場合に、前記情報記録媒体の径が前記第２の大きさであって該情報記録媒体に前記アダプタが装着されていると認識することを特徴とする請求項１から４のいずれか一項に記載の情報記録装置。
【請求項６】
前記制限手段は、前記アダプタが装着されている位置近傍へのアクセスを制限することを特徴とする請求項１から５に記載の情報記録装置。
【請求項７】
前記閾値は、径が前記第１の大きさである情報記録媒体における前記増加時間及び径が前記第２の大きさである情報記録媒体における前記増加時間の平均値であることを特徴とする請求項１から６のいずれか一項に記載の情報記録装置。
【請求項８】
情報記録媒体の回転数が初期値から所定値まで増加するために要する増加時間を検出する検出工程と、
前記増加時間が閾値以上であるか否かを判定する判定工程と、
前記情報記録媒体の種別を示す種別情報を取得する取得工程と、
前記判定工程における判定結果及び前記取得工程において取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識工程と、
前記情報記録媒体の径が前記第２の大きさであって該情報記録媒体に前記アダプタが装着されていると認識された場合、少なくとも前記情報記録媒体の相対的に外周側へのアクセスを制限する制限工程と
を備えることを特徴とする情報記録方法。
【請求項９】
情報記録媒体の回転数が初期値から所定値まで増加するために要する増加時間を検出する検出手段と、
前記増加時間が閾値以上であるか否かを判定する判定手段と、
前記情報記録媒体の種別を示す種別情報を取得する取得手段と、
前記判定手段における判定結果及び前記取得手段により取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識手段と、
前記情報記録媒体の径が前記第２の大きさであって該情報記録媒体に前記アダプタが装着されていると認識された場合、少なくとも前記情報記録媒体の相対的に外周側へのアクセスを制限する制限手段と
を備えることを特徴とする情報再生装置。
【請求項１０】
情報記録媒体の回転数が初期値から所定値まで増加するために要する増加時間を検出する検出工程と、
前記増加時間が閾値以上であるか否かを判定する判定工程と、
前記情報記録媒体の種別を示す種別情報を取得する取得工程と、
前記判定工程における判定結果及び前記取得工程において取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識工程と、
前記情報記録媒体の径が前記第２の大きさであって該情報記録媒体に前記アダプタが装着されていると認識された場合、少なくとも前記情報記録媒体の相対的に外周側へのアクセスを制限する制限工程と
を備えることを特徴とする情報再生方法。
【請求項１１】
請求項１から７のいずれか一項に記載の情報記録装置に備えられたコンピュータを制御する記録制御用のコンピュータプログラムであって、該コンピュータを、前記検出手段、前記判定手段、前記取得手段、前記認識手段及び前記制限手段のうち少なくとも一部として機能させることを特徴とするコンピュータプログラム。
【請求項１２】
請求項９に記載の情報再生装置に備えられたコンピュータを制御する再生制御用のコンピュータプログラムであって、該コンピュータを、前記検出手段、前記判定手段、前記取得手段、前記認識手段及び前記制限手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、例えばＤＶＤプレーヤ等の情報再生装置及び方法、並びにコンピュータをこのような情報記録装置又は情報再生装置として機能させるコンピュータプログラムの技術分野に属する。
【背景技術】
【０００２】
ＣＤやＤＶＤ等を含む情報記録媒体の普及が進んでいる。この情報記録媒体の大半は、１２ｃｍの径を有しているが、８ｃｍの径を有する情報記録媒体も流通している。しかしながら、流通している情報記録媒体の大半が１２ｃｍの径を有していることから、情報記録媒体に対するデータの記録を行う情報記録装置や情報記録媒体に記録されたデータの再生を行う情報再生装置は、１２ｃｍの径を有する情報記録媒体のみローディング可能に設計されることがある。この場合、８ｃｍの径を有する情報記録媒体をローディングするためには、この８ｃｍの径を有する情報記録媒体の外形を、１２ｃｍの径の大きさを有する情報記録媒体と同様にするためのアダプタを装着する必要がある。アダプタを装着することによって、１２ｃｍの径を有する情報記録媒体のみをローディング可能な情報記録装置や情報再生装置であっても、８ｃｍの径を有する情報記録媒体をローディングすることができる。
【０００３】
このようなアダプタを使用することを踏まえて、アダプタが装着されていることを検出する技術がいくつか開発されている（特許文献１、特許文献２及び特許文献３参照）。
【０００４】
【特許文献１】特開平１１−２５５８０号公報
【特許文献２】特開平９−１７８３６４号公報
【特許文献３】特開平７−８５５７８号公報
【発明の開示】
【発明が解決しようとする課題】
【０００５】
他方で、ＣＤやＤＶＤよりも記録容量の大きいＢｌｕ−ｒａｙ  Ｄｉｓｃの開発が進められている。Ｂｌｕ−ｒａｙ  Ｄｉｓｃでは、開口数（ＮＡ：Numeral Aperture）が大きい（具体的には、開口数が０．８５である）対物レンズを用いて青色レーザ光を情報記録媒体の記録面に集光させている。このため、対物レンズと情報記録媒体の表面との間の距離が、ＣＤやＤＶＤの場合のそれと比較して、より小さくなる。具体的には、ＣＤ／ＤＶＤ記録再生装置であれば、対物レンズと情報記録媒体の表面との間の距離を概ね１．５ｍｍ程度確保できるのに対し、Ｂｌｕ−ｒａｙ  Ｄｉｓｃ記録再生装置であれば、対物レンズの径にも依存するが、対物レンズと情報記録媒体の表面との間の距離が０．３ｍｍ〜０．５程度にまで縮まる。
【０００６】
このため、アダプタを装着した情報記録媒体がローディングされた場合には、情報記録媒体の表面よりも対物レンズに近い位置に位置するアダプタ（特に、情報記録媒体と勘合するアダプタの部材）が、対物レンズと衝突しかねないという技術的な問題点を生じている。
【０００７】
本発明は、例えば上述した従来の問題点に鑑みなされたものであり、例えばアダプタを装着した情報記録媒体がローディングされる場合であっても、好適な記録動作ないしは再生動作を可能とならしめる情報記録装置及び方法、情報再生装置及び方法、並びにコンピュータをこのような情報記録装置や情報再生装置として機能させるコンピュータプログラムを提供することを課題とする。
【課題を解決するための手段】
【０００８】
上記課題を解決するために、請求項１に記載の情報記録装置は、情報記録媒体の回転数が初期値から所定値まで増加するために要する増加時間を検出する検出手段と、前記増加時間が所定の閾値以上であるか否かを判定する判定手段と、前記情報記録媒体の種別を示す種別情報を取得する取得手段と、前記判定手段における判定結果及び前記取得手段により取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識手段と、前記情報記録媒体の径が前記第２の大きさであって該情報記録媒体に前記アダプタが装着されていると認識された場合、少なくとも前記情報記録媒体の相対的に外周側へのアクセスを制限する制限手段とを備える。
【０００９】
上記課題を解決するために、請求項８に記載の情報記録方法は、情報記録媒体の回転数が初期値から所定値まで増加するために要する増加時間を検出する検出工程と、前記増加時間が所定の閾値以上であるか否かを判定する判定工程と、前記情報記録媒体の種別を示す種別情報を取得する取得工程と、前記判定工程における判定結果及び前記取得工程において取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識工程と、前記情報記録媒体の径が前記第２の大きさであって該情報記録媒体に前記アダプタが装着されていると認識された場合、少なくとも前記情報記録媒体の相対的に外周側へのアクセスを制限する制限工程とを備える。
【００１０】
上記課題を解決するために、請求項９に記載の情報再生装置は、情報記録媒体の回転数が初期値から所定値まで増加するために要する増加時間を検出する検出手段と、前記増加時間が所定の閾値以上であるか否かを判定する判定手段と、前記情報記録媒体の種別を示す種別情報を取得する取得手段と、前記判定手段における判定結果及び前記取得手段により取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識手段と、前記情報記録媒体の径が前記第２の大きさであって該情報記録媒体に前記アダプタが装着されていると認識された場合、少なくとも前記情報記録媒体の相対的に外周側へのアクセスを制限する制限手段とを備える。
【００１１】
上記課題を解決するために、請求項１０に記載の情報再生方法は、情報記録媒体の回転数が初期値から所定値まで増加するために要する増加時間を検出する検出工程と、前記増加時間が所定の閾値以上であるか否かを判定する判定工程と、前記情報記録媒体の種別を示す種別情報を取得する取得工程と、前記判定工程における判定結果及び前記取得工程において取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識工程と、前記情報記録媒体の径が前記第２の大きさであって該情報記録媒体に前記アダプタが装着されていると認識された場合、少なくとも前記情報記録媒体の相対的に外周側へのアクセスを制限する制限手段とを備える。
【００１２】
上記課題を解決するために、請求項１１に記載のコンピュータプログラムは、請求項１から７のいずれか一項に記載の情報記録装置に備えられたコンピュータを制御する記録制御用のコンピュータプログラムであって、該コンピュータを、前記検出手段、前記判定手段、前記取得手段、前記認識手段及び前記制限手段のうち少なくとも一部として機能させる。
【００１３】
上記課題を解決するために、請求項１２に記載のコンピュータプログラムは、請求項９に記載の情報再生装置に備えられたコンピュータを制御する再生制御用のコンピュータプログラムであって、該コンピュータを、前記検出手段、前記判定手段、前記取得手段、前記認識手段及び前記制限手段のうち少なくとも一部として機能させる。
【００１４】
本発明の作用及び他の利得は次に説明する実施の形態から明らかにされよう。
【発明を実施するための最良の形態】
【００１５】
以下、発明を実施するための最良の形態としての本発明の実施形態に係る情報記録装置及び方法、情報再生装置及び方法、並びにコンピュータプログラムについて順に説明する。
【００１６】
（情報記録装置の実施形態）
本発明の情報記録装置に係る実施形態は、情報記録媒体の回転数が初期値から所定値まで増加するために要する増加時間を検出する検出手段と、前記増加時間が所定の閾値以上であるか否かを判定する判定手段と、前記情報記録媒体の種別を示す種別情報を取得する取得手段と、前記判定手段における判定結果及び前記取得手段により取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識手段と、前記情報記録媒体の径が前記第２の大きさであって該情報記録媒体に前記アダプタが装着されていると認識された場合、少なくとも前記情報記録媒体の相対的に外周側へのアクセスを制限する制限手段とを備える。
【００１７】
本発明の情報記録装置に係る実施形態によれば、検出手段の動作により、当該情報記録装置にローディングされた情報記録媒体の回転数が初期値（例えば、０ｒｐｍ）から所定値（例えば１０００ｒｐｍ）まで増加する（即ち、加速する）ために要する増加時間が検出される。その後、判定手段の動作により、検出された増加時間が所定の閾値以上であるか否かが判定される。他方、取得手段の動作により、情報記録媒体の種別（例えば、径の大きさ等）を示す種別情報が取得される。この種別情報は、情報記録媒体上に予め記録されていることが好ましい。
【００１８】
その後、認識手段の動作により、(i)ローディングされた情報記録媒体の径が第１の大きさである、(ii)ローディングされた情報記録媒体の径が第２の大きさであって該情報記録媒体に第１の大きさの径を有するアダプタが装着されている、及び(iii)ローディングされた情報記録媒体の径が第２の大きさであってアダプタが装着されていない、のいずれのケースに該当するかが認識される。この認識動作は、判定手段による判定結果（即ち、増加時間が閾値以上であるか否かを示す判定結果）及び取得手段により取得された種別情報の夫々に基づいて行われる。尚、アダプタは、情報記録装置や情報再生装置が、第２の大きさの径を有する情報記録媒体を、第１の大きさの径を有する情報記録媒体と同等に扱うために、第２の大きさの径を有する情報記録媒体に装着される付属品である。
【００１９】
その後、情報記録媒体へのデータの記録動作が開始される。このとき、認識手段により、情報記録媒体の径が第２の大きさであって該情報記録媒体にアダプタが装着されていると認識された場合には、制限手段の動作により、情報記録媒体の相対的に外周側（より具体的には、情報記録媒体と勘合するアダプタの部材が存在する位置より外周側）へのアクセスが制限される。アクセスの制限は、例えば、相対的に外周側における記録動作の停止であってもよいし、相対的に外周側へピックアップを移動させないようにしてもよい。尚、相対的に内周側或いは相対的に中周側へのアクセスも同様に制限されていてもよいし、或いは制限されていなくともよい。
【００２０】
このように、本実施形態に係る情報記録装置によれば、ローディングされた情報記録媒体がどのような径を有しているかを確実に認識することができると共に、アダプタが装着されているか否かをも確実に認識することができる。そして、後に図面を用いて詳述するように、係る認識を行うために、センサ等の物理的な構成要素を追加する必要がなく、ソフトウェアの更新により対応することができる。従って、回路構成を大幅に変更する必要がなくなるため、本実施形態に係る情報記録装置を導入するために必要なコストを低減することができる。
【００２１】
そして、アダプタを装着している場合には、情報記録媒体の表面よりもピックアップ側に近い位置に位置するアダプタの勘合部等と例えば光ピックアップ内の例えば対物レンズ（或いは、その保護部材）とが接触し得る情報記録媒体の外周側へのアクセスを制限する。従って、アダプタの部材等と光ピックアップ内の対物レンズ（或いは、その保護部材）との接触を好適に防止することができる。これは、対物レンズの開口数が大きい場合に、特に有効である。これにより、アダプタを装着した情報記録媒体がローディングされる場合であっても、好適な記録動作を実現することができる。
【００２２】
本発明の情報記録装置に係る実施形態の一の態様は、前記認識手段は、前記増加時間が前記閾値以上であると判定された場合に、前記情報記録媒体の径が第１の大きさである状態、及び前記情報記録媒体の径が前記第２の大きさであって該情報記録媒体に前記アダプタが装着されている状態のいずれかであると認識する。
【００２３】
この態様によれば、増加時間が閾値以上である場合は、回転数を増加させるために、相対的に多くの時間を要したことになる。従って、ローディングされた情報記録媒体は相対的に大きい径を有しているないしは相対的に大きい径を有している情報記録媒体と同視することができると考えられる。このため、認識手段は、第１の径を有しているか又は第２の径を有しつつもアダプタが装着されていることにより第１の径を有していることと同様であると認識することができる。
【００２４】
尚、増加時間と閾値との関係のみからは、情報記録媒体の径が第１の大きさである状態、及び情報記録媒体の径が第２の大きさであって該情報記録媒体にアダプタが装着されている状態の夫々を区別することが困難であるため、種別情報を用いて夫々の状態を更に区別することが好ましい。
【００２５】
本発明の情報記録装置に係る実施形態の他の態様は、前記認識手段は、前記増加時間が前記閾値以上でないと判定された場合に、前記情報記録媒体の径が前記第２の大きさであって該情報記録媒体に前記アダプタ装着されていないと認識する。
【００２６】
この態様によれば、増加時間が閾値以上である場合は、回転数を増加させるために、相対的に少ない時間を要したことになる。従って、ローディングされた情報記録媒体は、相対的に小さい径を有していると考えられる。このため、第２の径を有しつつアダプタが装着されていないと認識することができる。
【００２７】
本発明の情報記録装置に係る実施形態の他の態様は、前記種別情報は、前記情報記録媒体の径の大きさを示す径情報を含んでおり、前記認識手段は、前記増加時間が前記閾値以上であり且つ前記取得された種別情報に含まれる前記径情報が前記第１の大きさを示している場合に、前記情報記録媒体の径が前記第１の大きさであると認識する。
【００２８】
この態様によれば、種別情報に含まれる径情報に基づいて、情報記録媒体の径が第１の大きさである状態と、情報記録媒体の径が第２の大きさであって該情報記録媒体にアダプタが装着されている状態とを明確に区別することができる。
【００２９】
本発明の前記種別情報は、前記情報記録媒体の径の大きさを示す径情報を含んでおり、前記認識手段は、前記増加時間が前記閾値以上であり且つ前記取得された種別情報に含まれる前記径情報が前記第２の大きさを示している場合に、前記情報記録媒体の径が前記第２の大きさであって該情報記録媒体に前記アダプタが装着されていると認識する。
【００３０】
この態様によれば、種別情報に含まれる径情報に基づいて、情報記録媒体の径が第１の大きさである状態と、情報記録媒体の径が第２の大きさであって該情報記録媒体にアダプタが装着されている状態とを明確に区別することができる。
【００３１】
本発明の情報記録装置に係る実施形態の他の態様は、前記制限手段は、前記アダプタが装着されている位置（つまり、情報記録媒体と勘合するアダプタの部材が存在する位置）近傍へのアクセスを制限する。
【００３２】
この態様によれば、アダプタの部材等と光ピックアップ内の対物レンズ（或いは、その保護部材）との接触を好適に防止することができる。これにより、アダプタを装着した情報記録媒体がローディングされる場合であっても、好適な記録動作を実現することができる。
【００３３】
本発明の情報記録装置に係る実施形態の他の態様は、前記閾値は、径が前記第１の大きさである情報記録媒体の前記増加時間及び径が前記第２の大きさである情報記録媒体の前記増加時間の平均値である。
【００３４】
この態様によれば、認識手段による認識を好適に行うことができる。
【００３５】
（情報記録方法の実施形態）
本発明の情報記録方法に係る実施形態は、情報記録媒体の回転数が初期値から所定値まで増加するために要する増加時間を検出する検出工程と、前記増加時間が所定の閾値以上であるか否かを判定する判定工程と、前記情報記録媒体の種別を示す種別情報を取得する取得工程と、前記判定工程における判定結果及び前記取得工程において取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識工程と、前記情報記録媒体の径が前記第２の大きさであって該情報記録媒体に前記アダプタが装着されていると認識された場合、少なくとも前記情報記録媒体の相対的に外周側へのアクセスを制限する制限工程とを備える。
【００３６】
本発明の情報記録方法に係る実施形態によれば、上述した本発明の情報記録装置に係る実施形態と同様の各種利益を享受することができる。
【００３７】
尚、上述した本発明の情報記録装置に係る実施形態における各種態様に対応して、本発明の情報記録方法に係る実施形態も各種態様を採ることが可能である。
【００３８】
（情報再生装置の実施形態）
本発明の情報再生装置に係る実施形態は、情報記録媒体の回転数が初期値から所定値まで増加するために要する増加時間を検出する検出手段と、前記増加時間が所定の閾値以上であるか否かを判定する判定手段と、前記情報記録媒体の種別を示す種別情報を取得する取得手段と、前記判定手段における判定結果及び前記取得手段により取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識手段と、前記情報記録媒体の径が前記第２の大きさであって該情報記録媒体に前記アダプタが装着されていると認識された場合、少なくとも前記情報記録媒体の相対的に外周側へのアクセスを制限する制限手段とを備える。
【００３９】
本発明の情報再生装置に係る実施形態によれば、上述した本発明の情報記録装置に係る実施形態と同様の各種利益を享受しつつ、情報記録媒体に記録されたデータを再生することができる。
【００４０】
尚、上述した本発明の情報記録装置に係る実施形態における各種態様に対応して、本発明の情報再生装置に係る実施形態も各種態様を採ることが可能である。
【００４１】
（情報再生方法の実施形態）
本発明の情報再生方法に係る実施形態は、情報記録媒体の回転数が初期値から所定値まで増加するために要する増加時間を検出する検出工程と、前記増加時間が所定の閾値以上であるか否かを判定する判定工程と、前記情報記録媒体の種別を示す種別情報を取得する取得工程と、前記判定工程における判定結果及び前記取得工程において取得された前記種別情報に基づいて、(i)前記情報記録媒体の径が第１の大きさである、(ii)前記情報記録媒体の径が前記第１の大きさよりも小さい第２の大きさであって該情報記録媒体に前記第１の大きさの径を有するアダプタが装着されている、又は(iii)前記情報記録媒体の径が前記第２の大きさであって前記アダプタが装着されていないと認識する認識工程と、前記情報記録媒体の径が前記第２の大きさであって該情報記録媒体に前記アダプタが装着されていると認識された場合、少なくとも前記情報記録媒体の相対的に外周側へのアクセスを制限する制限工程とを備える。
【００４２】
本発明の情報再生方法に係る実施形態によれば、上述した本発明の情報再生装置に係る実施形態と同様の各種利益を享受することができる。
【００４３】
尚、上述した本発明の情報再生装置に係る実施形態における各種態様に対応して、本発明の情報再生方法に係る実施形態も各種態様を採ることが可能である。
【００４４】
（コンピュータプログラムの実施形態）
本発明のコンピュータプログラムに係る第１実施形態は、上述した本発明の情報記録装置に係る実施形態（但し、その各種態様を含む）に備えられたコンピュータを制御する記録制御用のコンピュータプログラムであって、該コンピュータを、前記検出手段、前記判定手段、前記取得手段、前記認識手段及び前記制限手段のうち少なくとも一部として機能させる。
【００４５】
本発明のコンピュータプログラムに係る第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００４６】
尚、上述した本発明の情報記録装置に係る実施形態における各種態様に対応して、本発明のコンピュータプログラムに係る第１実施形態も各種態様を採ることが可能である。
【００４７】
本発明の情報再生装置に係る第２実施形態は、上述した本発明の情報再生装置に係る実施形態（但し、その各種態様を含む）に備えられたコンピュータを制御する再生制御用のコンピュータプログラムであって、該コンピュータを、前記検出手段、前記判定手段、前記取得手段、前記認識手段及び前記制限手段のうち少なくとも一部として機能させる。
【００４８】
本発明のコンピュータプログラムに係る第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。
【００４９】
尚、上述した本発明の情報再生装置に係る実施形態における各種態様に対応して、本発明のコンピュータプログラムに係る第２実施形態も各種態様を採ることが可能である。
【００５０】
本発明のこのような作用及び他の利得は次に説明する実施の形態から明らかにされる。
【００５１】
以上説明したように、本発明の情報記録装置に係る実施形態によれば、検出手段、判定手段、取得手段、認識手段及び制限工程を備える。本発明の情報記録方法に係る実施形態によれば、検出工程、判定工程、取得工程、認識工程及び制限工程を備える。従って、アダプタを装着した情報記録媒体がローディングされた場合であっても、データの記録動作を好適に行うことができる。
【００５２】
本発明の情報再生装置に係る実施形態によれば、検出手段、判定手段、取得手段、認識手段及び制限手段を備える。本発明の情報再生方法に係る実施形態によれば、検出工程、判定工程、取得工程、認識工程及び制限工程を備える。従って、アダプタを装着した情報記録媒体がローディングされた場合であっても、データの再生動作を好適に行うことができる。
【実施例】
【００５３】
以下、本発明の実施例を図面に基づいて説明する。
【００５４】
（基本構成）
初めに、図１を参照して、本発明の情報記録装置及び情報再生装置の実施例である情報記録再生装置の基本構成について説明を進める。ここに、図１は、本実施例に係る情報記録再生装置の基本構成を概念的に示すブロック図である。尚、本実施例に係る情報記録再生装置１は、光ディスク１００にデータを記録する機能と、光ディスク１００に記録されたデータを再生する機能との双方を備える。
【００５５】
図１に示すように、本実施例に係る情報記録再生装置１は、スピンドルモータ１１と、光ピックアップ１２と、ドライバ１３と、記録回路１４と、ＦＧ発生回路１５と、ＲＦ（Radio Frequency）アンプ１６と、ＤＳＰ（Digital Signal Processor）１７と、デコーダ１８と、マイコン１９と、タイマー２０と、メモリ２１とを備えている。
【００５６】
スピンドルモータ１１は光ディスク１００を回転及び停止させるもので、光ディスク１００へのアクセス時に動作する。より詳細には、スピンドルモータ１１は、ドライバ１３から出力されるスピンドルサーボ制御信号を受けつつ所定速度で光ディスク１００を回転及び停止させるように構成されている。
【００５７】
光ピックアップ１２は、光ディスク１００へのデータの記録及び光ディスク１００に記録されたデータの再生を行うために、例えば半導体レーザ装置と対物レンズ等から構成される。より詳細には、光ディスク１００にデータを記録する場合には、光ピックアップ１２は、光ディスク１００に対してレーザ光ＬＢを、相対的に大きな第１のパワーで且つドライバ１３から出力されるストラテジ信号に基づいて変調しながら照射する。他方、光ディスク１００に記録されたデータを再生する場合には、光ピックアップ１２は、光ディスク１００に対してレーザ光ＬＢを、相対的に小さな第２のパワーで照射する。
【００５８】
ドライバ１３は、マイコン１９の制御の下に、スピンドルモータ１１に対してスピンドルサーボ制御信号を供給し、スピンドルモータ１１を動作させる。また、ドライバ１３は、マイコン１９の制御の下に、光ピックアップ１２に対してトラッキングサーボ制御信号やフォーカスサーボ制御信号を供給することで、光ピックアップ１２のトラッキング制御やフォーカス制御を行う。また、ドライバ１３は、記録回路１４から供給される記録信号に基づいて、光ピックアップ１２から照射されるレーザ光ＬＢの波形を規定するレーザ駆動信号を光ピックアップ１２に対して供給することで、光ピックアップ１２内に設けられた半導体レーザ装置を駆動する。
【００５９】
記録回路１４は、情報記録再生装置１の外部より供給される映像データや音声データやその他の各種データに対して、変調処理や、符号化処理や、誤り訂正符号付加処理等を行い、記録信号を生成する。生成された記録信号は、ドライバ１３に出力され、ドライバ１３は、該記録信号に基づいて、光ピックアップ１２内に設けられた半導体レーザ装置を駆動する。
【００６０】
ＦＧ発生回路１５は、光ディスク１００が一定角回転する毎に、周期検出信号（以下、“ＦＧ信号”と称する）を生成し、ＤＳＰ１７へ出力する。より具体的には、ＦＧ発生回路１５は、光ディスク１００が例えば１０度回転する毎に周期検出信号を生成するように構成してもよい。この場合、周期検出信号が３６回検出された時点で、光ディスク１００が１回転したと認識される。
【００６１】
ＲＦアンプ１６は、光ピックアップ１２の出力信号、即ち、レーザ光ＬＢの反射光を増幅し、該増幅した信号をＤＳＰ１７に対して出力する。
【００６２】
ＤＳＰ１７は、マイコン１９の制御の下に、ＲＦアンプ１６より出力される信号や、ＦＧ発生回路１５より出力される信号に対して、デジタル信号処理を施す。デジタル信号処理を行う際には、後述するマイコン１９内の各機能ブロックと適宜データのやり取りを行う。
【００６３】
デコーダ１８は、ＤＳＰ１７においてデジタル信号処理が施された信号（特に、ＲＦアンプ１６より出力される信号）に対して、デコード処理を行うことで、映像データや音声データやその他の各種データ等を生成する。生成された映像データや音声データやその他の各種データ等は、例えばディスプレイやスピーカー等の外部出力機器に出力され、映像や音声として再生される。
【００６４】
マイコン１９は、ドライバ１３や、記録回路１４や、ＤＳＰ１７や、デコーダ１８やタイマー２０や、メモリ２１等と、データバスを介して接続され、これらに指示を行うことで、情報記録再生装置１全体の制御を行う。通常、マイコン１９が動作するためのソフトウェア又はファームウェアは、メモリ２１に格納されている。
【００６５】
本実施例に係る情報記録再生装置１では特に、マイコン１９内に、検出回路１９１と、判定回路１９２と、取得回路１９３と、認識回路１９４と、制限回路１９５とを、プログラムの動作により実現される機能ブロックとして備えている。
【００６６】
検出回路１９１は、タイマー２０と共に本発明における「検出手段」の一具体例を構成しており、ＦＧ発生回路１５より出力されるＦＧ信号に基づいて、光ディスク１００の回転数が初期値から所定値にまで増加するために要する時間（以下、“増加時間”と称する）を検出可能に構成されている。より具体的には、ＦＧ発生回路１５より出力されるＦＧ信号より光ディスク１００の回転数をモニタリングしながら、タイマー２０を用いて回転数の増加に要する増加時間を検出する。検出された増加時間は、判定回路１９２へ出力される。
【００６７】
判定回路１９２は、本発明における「判定手段」の一具体例を構成しており、検出回路１９１において検出された増加時間が、予め定められた或いは適宜定められる閾値以上であるか否かを判定可能に構成される。判定結果は、認識回路１９４へ出力される。
【００６８】
取得回路１９３は、本発明における「取得手段」の一具体例を構成しており、光ディスク１００上に予め記録されているディスク種別データを取得可能に構成されている。具体的には、取得回路１９３は、トラッキングサーボ制御信号等を調整することで、ディスク種別データが記録されている記録エリアにレーザ光ＬＢが照射されるように光ピックアップ１２のトラッキング制御を行う。その結果、ディスク種別データが取得される。取得されたディスク種別データは、認識回路１９４へ出力される。
【００６９】
認識回路１９４は、本発明における「認識手段」の一具体例を構成しており、情報記録再生装置１にローディングされた光ディスク１００の種別（具体的には、光ディスク１００の径の大きさ）や、該光ディスク１００に対する後述のアダプタ１１０（図４参照）の装着の有無を認識可能に構成されている。認識結果は、制限回路１９５へ出力される。尚、認識回路１９４における認識動作については、後に詳述する（図５から図９参照）。
【００７０】
制限回路１９５は、本発明における「制限手段」の一具体例を構成しており、ローディングされた光ディスク１００に対するアクセス制限を実行可能に構成されている。尚、制限回路１９５におけるアクセス制限動作については、後に詳述する（図５から図９参照）。
【００７１】
タイマー２０は、マイコン１９の制御の下に、時間を計測可能に構成されている。本実施例では、光ディスク１００の回転数が初期値から所定値にまで増加するために要する時間を計測するために用いられる。
【００７２】
メモリ２１は、情報記録再生装置１におけるデータ処理全般において使用される。より具体的には、メモリ２１は、情報記録再生装置１が動作するために必要な各種プログラム（即ち、ファームウェア）が格納されるＲＯＭ領域と、データの一時格納用バッファや、ファームウェアプログラム等の動作に必要な変数が格納されるＲＡＭ領域などから構成される。
【００７３】
ここで、本実施例に係る情報記録再生装置１にローディングされる光ディスク１００の状態としては、大きく分けて以下の３つの状態を想定している。係る３つの状態について、図２から図４を参照して、説明する。ここに、図２は、本実施例に係る情報記録再生装置１にローディングされる光ディスク１００の第１の状態を概念的に示す平面図であり、図３は、本実施例に係る情報記録再生装置１にローディングされる光ディスク１００の第２の状態を概念的に示す平面図であり、図４は、本実施例に係る情報記録再生装置１にローディングされる光ディスク１００の第３の状態を概念的に示す平面図である。
【００７４】
図２に示すように、直径が概ね１２ｃｍの光ディスク１００ａがローディングされる状態が、第１の状態の一例として想定される。言い換えれば、相対的に大きい径を有している（或いは、後述する閾値以上の大きさの径を有する）光ディスク１００ａがローディングされる状態が、第１の状態の一例として想定される。そして、“概ね１２ｃｍ”という大きさが、本発明における「第１の径」の一具体例を構成している。
【００７５】
図３（ａ）に示すように、直径が１２ｃｍよりも小さい概ね８ｃｍの光ディスク１００ｂがローディングされる状態が、第２の状態の一例として想定される。
【００７６】
或いは、図３（ｂ）に示すように、円盤形状に限らず、名刺大のカード形状の光ディスク１００ｃが、第２の状態の一例として想定される。
【００７７】
言い換えれば、相対的に小さい径を有している（或いは、後述する閾値未満の大きさの径を有する光ディスク１００ｂ、又は後述する閾値未満の大きさの径を有していることと同視することができる小型異型の光ディスク１００ｃがローディングされる状態が、第２の状態の一例として想定される。そして、“概ね８ｃｍ”という大きさが、本発明における「第２の径」の一具体例を構成している。
【００７８】
図４に示すように、直径が概ね８ｃｍ程度の光ディスク１００ｂに対して、直径が概ね１２ｃｍ程度のアダプタ１１０が装着されてローディングされる状態が、第３の状態の一例として想定される。
【００７９】
アダプタ１１０は、直径が概ね１２ｃｍの円盤から直径が概ね８ｃｍの円盤がくりぬかれた形状を有しており、直径が概ね８ｃｍの光ディスク１００ｂを保持するための勘合部１１１を、直径が概ね８ｃｍの円周上に備えている。このようなアダプタ１１０を直径が概ね８ｃｍの光ディスク１００ｂに装着することで、情報記録再生装置１は、直径が概ね８ｃｍの光ディスク１００ｂを、直径が概ね１２ｃｍの光ディスク１００ａと同様に扱うことができる。例えば、直径が概ね８ｃｍの光ディスク１００ｂを、直径が概ね１２ｃｍの光ディスク１００ａをローディングする構成と同一の構成にてローディングすることができる。
【００８０】
尚、図４においては、直径が概ね８ｃｍの光ディスク１００ｂに対応しているアダプタ１１０について説明したが、小型異型の光ディスク１００ｃに対応しているアダプタを利用することができることは言うまでもない。
【００８１】
本実施例に係る情報記録再生装置１は、上述した３つの状態を区別し、且つその状態によっては記録動作や再生動作に影響を与え得る場合には、光ディスク１００へのアクセス制限を実行する。以下、このような情報記録再生装置１の動作についてより詳細に説明を進める。
【００８２】
（動作原理）
続いて、図５から図９を参照して、本実施例に係る情報記録再生装置１の動作原理について説明する。ここに、図５は、本実施例に係る情報記録再生装置１の動作の流れの一部を概念的に示すフローチャートであり、図６は、本実施例に係る情報記録再生装置１の動作の流れの他の一部を概念的に示すフローチャートであり、図７は、光ディスク１００の回転数の増加の態様を時間軸に沿って概念的に示すグラフであり、図８は、本実施例に係る情報記録再生装置１の動作の流れの他の一部を概念的に示すフローチャートであり、図９は、本実施例に係る情報再生装置が備える光ピックアップ内に配置される対物レンズ（或いは、当該対物レンズの保護部材）と光ディスクの表面との位置関係を概念的に示す断面図である。
【００８３】
尚、以下の説明では、単に光ディスク１００と称するときは、それは、上述した光ディスク１００ａや、光ディスク１００ｂや、光ディスク１００ｃや、アダプタ１１０が装着された光ディスク１００ｂの夫々単体ないしはいずれかをまとめて示すものとする。そして、これらを特に区別する必要がある場合に、「１００ａ」や「１００ｂ」や「１００ｃ」なる参照符号を用いることとする。
【００８４】
図５に示すように、初期動作として、直径が概ね１２ｃｍの光ディスク１００ａ又はアダプタ１１０が装着されている直径が概ね８ｃｍの光ディスク１００ｂの回転数が、初期値（ここでは、０ｒｐｍ）から所定値（ここでは、１０００ｐｍ）まで増加するために必要とする時間ｔ１２が、情報記録再生装置１のメモリ２１中に保存される（ステップＳ１０１）。
【００８５】
同様に、初期動作として、アダプタ１１０が装着されていない直径が概ね８ｃｍの光ディスク１００ａ又は小型異型の光ディスク１００ｃの回転数が、初期値（ここでは、０ｒｐｍ）から所定値（ここでは、１０００ｐｍ）まで増加するために必要とする時間ｔ８が、情報記録再生装置１のメモリ２１中に保存される（ステップＳ１０２）。
【００８６】
尚、これらの時間ｔ８及びｔ１２は、情報記録再生装置１を製造する際に、予めメモリ２１中に保存されることが好ましいが、情報記録再生装置１を出荷した後に、実際に時間ｔ８及びｔ１２を測定してからメモリ２１中に保存するように構成してもよい。
【００８７】
続いて、光ディスク１００が情報記録再生装置１にローディングされる（ステップＳ１０３）。そして、光ピックアップ１２を、概ね２５ｍｍの径位置に移動させる（ステップＳ１０４）。
【００８８】
その後、タイマー２０のカウントに用いられるタイマー数（或いは、カウント数）ｔｍを“０”にセッティングした後（ステップＳ１０５）、タイマー２０のカウントの開始（ステップＳ１０６）及びスピンドルモータ１１へ供給する電圧を最大値に固定した光ディスク１００の加速（ステップＳ１０７）を開始する。タイマー２０のカウントの開始と光ディスク１００の加速の開始は、同時に行われることが好ましい。
【００８９】
続いて、図６に示すように、検出回路１９１の動作により、光ディスク１００の回転数が１０００ｒｐｍを超えたか否かが判定される（ステップＳ２０１）。光ディスク１００の回転数は、検出回路１９１の制御の下に、ＦＧ発生回路から出力されるＦＧ信号に基づいて算出される。即ち、ＦＧ信号が生成される周期及び単位時間当たりに出力されるＦＧ信号の数に基づいて、光ディスク１００の回転数が算出される。
【００９０】
ステップＳ２０１における判定の結果、回転数が１０００ｒｐｍを超えていないと判定された場合（ステップＳ２０１：Ｎｏ）には、回転数が１０００ｒｐｍを超えるまでの間、スピンドルモータ１１へ供給する電圧を最大値に固定した光ディスク１００の加速が継続される。
【００９１】
他方、ステップＳ２０１における判定の結果、回転数が１０００ｒｐｍを超えたと判定された場合（ステップＳ２０１：Ｙｅｓ）には、検出回路１９１の制御の下に、現在のタイマー数ｔｍ１（即ち、回転数を０ｒｐｍから１０００ｒｐｍまで増加させるために必要とした時間）が、メモリ２１に保存される（ステップＳ２０２）。
【００９２】
続いて、判定回路１９２の制御の下に、ｔｍ１が、ｔ８とｔ１２との平均値以上であるか否かが判定される（ステップＳ２０３）。つまり、ｔｍ１≧（ｔ８＋ｔ１２）／２であるか否かが判定される。この、「ｔ８とｔ１２との平均値」が、本発明における「閾値」の一具体例を構成している。
【００９３】
ステップＳ２０３における判定の結果、ｔｍ１が、ｔ８とｔ１２との平均値以上でないと判定された場合（ステップＳ２０３：Ｎｏ）、認識回路１９４の制御に下に、ローディングされた光ディスク１００は、アダプタ１１０が装着されていない直径が概ね８ｃｍの光ディスク１００ｂである、又はアダプタ１１０が装着されていない小型異型の光ディスク１００ｃであると認識される（ステップＳ２０４）。つまり、ローディングされた光ディスク１００は、上述した第２の状態（図３参照）にあると認識される。
【００９４】
具体的には、ｔｍ１が、ｔ８とｔ１２との平均値以上でない（即ち、ｔｍ１が、ｔ８とｔ１２との平均値未満である）ことは、回転数を増加させるために要する時間が相対的に短いことを示している。そして、図７に示すように、光ディスク１００の径が大きくなればなるほど、回転数を増加させるために必要な時間が長くなる。従って、ｔｍ１がｔ８とｔ１２との平均値以上でない場合は、ローディングされた光ディスク１００の径が相対的に小さいと判断することができる。その結果、ローディングされた光ディスク１００は、アダプタ１１０が装着されていない直径が概ね８ｃｍの光ディスク１００ｂである、又はアダプタ１１０が装着されていない小型異型の光ディスク１００ｃであると認識することができる。
【００９５】
続いて、フォーカス制御が開始され（ステップＳ２０５）、トラッキング制御が開始され（ステップＳ２０６）、取得回路１９３の制御の下に、光ディスク１００上に記録されているディスク種別データが読み取られる（ステップＳ２０７）。
【００９６】
その後、光ディスク１００にデータが記録される記録動作又は光ディスク１００に記録されたデータが再生される再生動作が実際に開始される（ステップＳ２０８）。
【００９７】
他方、ステップＳ２０３における判定の結果、ｔｍ１が、ｔ８とｔ１２との平均値以上であると判定された場合（ステップＳ２０３：Ｙｅｓ）、認識回路１９４の制御に下に、ローディングされた光ディスク１００は、直径が概ね１２ｃｍの光ディスク１００ａである、アダプタ１１０が装着された直径が概ね８ｃｍの光ディスク１００ｂである、又はアダプタ１１０が装着された小型異型の光ディスク１００ｃであると認識される（ステップＳ２０９）。つまり、ローディングされた光ディスク１００は、上述した第１の状態（図２参照）又は第３の状態（図４参照）にあると認識される。
【００９８】
具体的には、ｔｍ１が、ｔ８とｔ１２との平均値以上であることは、回転数を増加させるために要する時間が相対的に長いことを示している。そして、図７に示すように、光ディスク１００の径が大きくなればなるほど、回転数を増加させるために必要な時間が長くなる。従って、ｔｍ１がｔ８とｔ１２との平均値以上である場合は、ローディングされた光ディスク１００の径が相対的に大きいと判断することができる。その結果、ローディングされた光ディスク１００は、直径が概ね１２ｃｍの光ディスク１００ａ、アダプタ１１０が装着されている直径が概ね８ｃｍの光ディスク１００ｂ、又はアダプタ１１０が装着されている小型異型の光ディスク１００ｃであると認識することができる。
【００９９】
続いて、図８に示すように、フォーカス制御が開始され（ステップＳ２０５）、トラッキング制御が開始され（ステップＳ２０６）、取得回路１９３の制御の下に、光ディスク１００上に記録されているディスク種別データが読み取られる（ステップＳ２０７）。
【０１００】
その後、認識回路１９４の制御の下に、ステップＳ２０７において取得されたディスク種別データが示すディスク種別が、光ディスク１００の直径の大きさが８ｃｍであることを示しているか又は光ディスク１００の形状が小型異型であることを示している否かが判定される（ステップＳ２１０）。
【０１０１】
ステップＳ２１０における判定の結果、ディスク種別が、直径の大きさが８ｃｍであることを示していない且つ形状が小型異型であることを示していないと判定された場合（ステップＳ２１０：Ｎｏ）、認識回路１９４の制御の下に、ローディングされた光ディスク１００は、直径が概ね１２ｃｍの光ディスク１００ａであると認識される（ステップＳ２１３）。つまり、ローディングされた光ディスク１００は、上述した第１の状態（図２参照）にあると認識される。
【０１０２】
その後、光ディスク１００にデータが記録される記録動作又は光ディスク１００に記録されたデータが再生される再生動作が実際に開始される（ステップＳ２０８）。
【０１０３】
他方、ステップＳ２１０における判定の結果、ディスク種別が、直径の大きさが８ｃｍであることを示しているか又は形状が小型異型であることを示していると判定された場合（ステップＳ２１０：Ｙｅｓ）、認識回路１９４の制御の下に、ローディングされた光ディスク１００は、アダプタ１１０が装着された直径が概ね８ｃｍの光ディスク１００又はアダプタ１１０が装着された小型異型の光ディスク１００ｃであると認識される。つまｒ、ローディングされた光ディスク１００は、上述した第３の状態（図４参照）にあると認識される。
【０１０４】
この場合、制限回路１９５の制御の下に、トラッキングサーボやフォーカスサーボやスピンドルサーボ等の各種サーボが停止される（ステップＳ２１２）。つまり、ローディングされた光ディスク１００が、アダプタ１１０が装着された直径が概ね８ｃｍの光ディスク１００又はアダプタ１１０が装着された小型異型の光ディスク１００ｃであると認識され場合には、記録動作や再生動作は行われない。この場合、アダプタ１１０が装着された光ディスク１００を扱うことができない旨を示す警告メッセージを、ディスプレイ上に表示するように構成してもよい。
【０１０５】
以上説明したように、本実施例に係る情報記録装置によれば、ローディングされた光ディスク１００の径が８ｃｍであるのか、１２ｃｍであるのか又は小型異型であるのかを確実に認識することができると共に、ローディングされた光ディスク１００にアダプタ１１０が装着されているか否かをも確実に認識することができる。そして、マイコン１９上で動作するファームウェア等のプログラムを更新することにより、本実施例に係る情報記録再生装置１を実現することができる。言い換えれば、各種ＩＣチップ等の物理的な回路ないしはセンサ等の物理的な構成要素を新たに追加することなく、本実施例に係る情報記録再生装置１を実現することができる。従って、情報記録再生装置１の回路構成を大幅に変更する必要がなくなるため、本実施例に係る情報記録装置１を導入するために必要なコストを低減することができる。
【０１０６】
そして、ローディングされた光ディスク１００にアダプタ１１０が装着されていると認識された場合には、当該光ディスク１００への記録動作や再生動作が行われない。このため、光ディスク１００の表面よりも光ピックアップ１２側に近い位置に位置するアダプタ１１０の勘合部１１１と、光ピックアップ１２内に設けられる対物レンズ（或いは、その保護部材）との接触を好適に防止することができる。
【０１０７】
ここで、図９を参照して、光ピックアップ１２内に設けられる対物レンズと光ディスク１００の表面との位置関係について、より詳細に説明する。
【０１０８】
図９（ａ）に示すように、アダプタ１１０が装着されていない光ディスク１００であれば、光ディスク１００の表面と対物レンズ１２１の頂点（或いは、対物レンズ１２１を保護するための保護部材１２２）とは、所定の間隙を有した状態にある。
【０１０９】
他方、図９（ｂ）に示すように、アダプタ１１０が装着されている光ディスク１００であれば、アダプタ１１０の勘合部１１１は、光ディスク１００の表面から、対物レンズ１２１の側に向かって突き出るように光ディスク１００を保持する。このため、本実施例に係る情報記録再生装置１は、光ピックアップ１２が、勘合部１１１が存在する位置にまでアクセスすることによって発生し得る、勘合部１１１と対物レンズ１２１の頂点（或いは、保護部材１２２）との衝突ないしは干渉を好適に防止することができる。
【０１１０】
特に、光ディスク１００の一具体例であるＢｌｕ−ｒａｙ  Ｄｉｓｃは、開口数が大きい（具体的には、開口数が０．８５である）対物レンズを用いて記録動作や再生動作を行う。従って、対物レンズ１２１の径にも依存するが、対物レンズ１２１と光ディスク１００の表面とが概ね０．３ｍｍ〜０．５ｍｍ程しか離れない状態で記録動作や再生動作が行われる。このため、Ｂｌｕ−ｒａｙ  Ｄｉｓｃにおいて発生しやすい勘合部１１１と対物レンズ１２１の頂点（或いは、保護部材１２２）との衝突ないしは干渉を好適に防止することができる。
【０１１１】
尚、上述の実施例においては、ローディングされた光ディスク１００にアダプタ１１０が装着されていると認識された場合には、当該光ディスク１００への記録動作や再生動作が行われないように構成しているが、勘合部１１１と対物レンズ１２１の頂点（或いは、保護部材１２２）との衝突を好適に防止するためには、この動作に限定されないことは言うまでもない。例えば、勘合部１１１近傍へ光ピックアップ１２がアクセスすることを制限するように構成してもよい。この場合、勘合部１１１が存在しない記録エリアにおけるデータの記録動作及び再生動作は行われてもよい。
【０１１２】
また、上述の実施例では、光ディスク１００の回転数が、０ｒｐｍから１０００ｒｐｍまで増加するために要する時間を検出しているが、これに限定されないことは言うまでもない。つまり、光ディスク１００の回転数の増加に要する時間（言い換えれば、光ディスク１００の回転数の増加率）から、ローディングされた光ディスク１００がどのような状態にあるかを認識することができれば足りる。加えて、閾値の値も上述の実施例中の説明に限定されないことは言うまでもない。
【０１１３】
また、上述の実施例では、情報記録媒体の一例として光ディスク１００及び情報記録再生装置の一例として光ディスク１００に係るレコーダ或いはプレーヤについて説明したが、本発明は、光ディスク及びそのレコーダに限られるものではなく、他の高密度記録或いは高転送レート対応の各種情報記録媒体並びにそのレコーダ或いはプレーヤにも適用可能である。
【０１１４】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、情報再生装置及び方法、並びに記録制御用又は再生制御用のコンピュータプログラムもまた本発明の技術的範囲に含まれるものである。
【図面の簡単な説明】
【０１１５】
【図１】本実施例に係る情報記録再生装置の基本構成を概念的に示すブロック図である。
【図２】本実施例に係る情報記録再生装置にローディングされる光ディスクの第１の状態を概念的に示す平面図である。
【図３】本実施例に係る情報記録再生装置にローディングされる光ディスクの第２の状態を概念的に示す平面図である。
【図４】本実施例に係る情報記録再生装置にローディングされる光ディスクの第３の状態を概念的に示す平面図である。
【図５】本実施例に係る情報記録再生装置の動作の流れの一部を概念的に示すフローチャートである。
【図６】本実施例に係る情報記録再生装置の動作の流れの他の一部を概念的に示すフローチャートである。
【図７】光ディスクの回転数の増加の態様を時間軸に沿って概念的に示すグラフである。
【図８】本実施例に係る情報記録再生装置の動作の流れの他の一部を概念的に示すフローチャートである。
【図９】本実施例に係る情報再生装置が備える光ピックアップ内に配置される対物レンズ（或いは、対物レンズの保護部材）と光ディスクの表面との位置関係を概念的に示す断面図である。
【符号の説明】
【０１１６】
１  情報記録再生装置
１１  スピンドルモータ
１２  光ピックアップ
１３  ドライバ
１４  記録回路
１５  ＦＧ発生回路
１６  ＲＦアンプ
１７  ＤＳＰ
１８  デコーダ
１９  マイコン
１９１  検出回路
１９２  判定回路
１９３  取得回路
１９４  認識回路
１９５  制限回路
２０  タイマー
２１  メモリ
１００  光ディスク
１１０  アダプタ
１１１  勘合部材
１２１  対物レンズ
１２２  保護部材
【図１】
0004502396.tif 000002
【図２】
0004502396.tif 000003
【図３】
0004502396.tif 000004
【図４】
0004502396.tif 000005
【図５】
0004502396.tif 000006
【図６】
0004502396.tif 000007
【図７】
0004502396.tif 000008
【図８】
0004502396.tif 000009
【図９】
0004502396.tif 000010